【手続補正書】
【提出日】平成29年2月22日(2017.2.22)
【手続補正１】
【補正対象書類名】明細書
【補正対象項目名】００３０
【補正方法】変更
【補正の内容】
【００３０】
本明細書において、本発明の或る特定の特徴だけが図示及び説明されてきたが、当業者には多くの変更及び変形が思い浮かぶであろう。それゆえ、添付の特許請求の範囲は、本発明の真の趣旨に入る全てのこのような変更及び変形を包含することを意図していることを理解されたい。
なお、本発明は以下の特徴を以って実施することができる。
［特徴１］
金属製作リソースのパフォーマンス比較方法であって、
ウェブベースシステムを介して、複数の金属製作リソースにおいて実行される金属製作動作のパラメーターを表すデータにアクセスすることと、
少なくとも１つのコンピュータープロセッサを介して、前記複数の金属製作リソースのそれぞれについて前記パラメーターを解析し、前記金属製作リソースのパフォーマンスを比較することと、
前記少なくとも１つのコンピュータープロセッサを介して、ユーザー閲覧可能レポートページを、前記解析を表す図形表示を用いて作成することと、
ウェブベースのシステムを介して、前記ユーザー閲覧可能レポートページをユーザーに送信することとを含む金属製作リソースのパフォーマンス比較方法。
［特徴２］
前記ユーザーに、解析のための前記複数の金属リソースのユーザー選択を可能にするように構成された複数の金属製作リソースのリストを提示することと、前記レポートを生成するとともに、該レポートを、前記ユーザーが選択した金属製作リソースのそれぞれの解析を表す図形表示を用いて作成することと、を含む特徴１に記載の方法。
［特徴３］
前記複数の金属製作リソースは個別に及び構成可能なグループで表示され、前記解析は、少なくとも１つの個別の金属製作リソース及び少なくとも１つの金属製作リソースグループにおいて選択可能に実行される特徴２に記載の方法。
［特徴４］
前記ユーザー閲覧可能レポートページは、図形表示、数値表示、及び前記複数の金属製作リソースのそれぞれを特定する表示の双方を含む特徴１に記載の方法。
［特徴５］
前記データはクラウドリソース内に記憶される特徴１に記載の方法。
［特徴６］
前記解析及び前記レポートページの作成はクラウドリソースにおいて実行される特徴１に記載の方法。
［特徴７］
前記ユーザー閲覧可能レポートページはブラウザーにおいて閲覧可能なウェブページを含む特徴１に記載の方法。
［特徴８］
前記データは複数の期間にわたって記憶され、前記ユーザーに送信される少なくとも１つのユーザー閲覧可能ページは、特定の解析期間及び図形表示のユーザー選択を受信するように構成される特徴１に記載の方法。
［特徴９］
前記データは複数の金属製作動作パラメーターについて記憶され、前記ユーザーに送信される少なくとも１つのユーザー閲覧可能ページは、前記ユーザー閲覧可能レポートページのための特定の金属製作動作パラメーターのユーザー選択を受信するように構成される特徴１に記載の方法。
［特徴１０］
前記ユーザー閲覧可能レポートページは、前記選択された金属製作動作パラメーターを特定する表示を含む特徴９に記載の方法。
［特徴１１］
金属製作リソースのパフォーマンス比較システムであって、
動作時に、複数の金属製作リソースの金属製作動作のパラメーターを表すデータにアクセスするウェブベースの通信コンポーネントと、
動作時に、前記パラメーターを解析して前記金属製作リソースのパフォーマンスを比較し、ユーザー閲覧可能レポートページを、前記金属製作リソースのそれぞれの前記解析を表す図形表示によって作成する、少なくとも１つのコンピュータープロセッサと、
動作時に、前記ユーザー閲覧可能レポートページをユーザーに移行する、ウェブベースの送信コンポーネントとを備える金属製作リソースのパフォーマンス比較システム。
［特徴１２］
前記通信コンポーネントは、前記複数の金属製作リソースの金属製作動作中にサンプリングされる複数のパラメーターを表すデータにアクセスし、前記少なくとも１つのコンピュータープロセッサは、前記複数のパラメーターのうちのユーザーが選択したパラメーターを解析し、前記ユーザー閲覧可能レポートページを、前記解析のそれぞれを表す図形表示によって作成する特徴１１に記載のシステム。
［特徴１３］
前記パラメーターは、オン時間、アーク開始及び堆積のうちの少なくとも１つを含む特徴１１に記載のシステム。
［特徴１４］
前記ユーザー閲覧可能レポートページは、複数の金属製作リソースを特定する表示を含み、前記解析が実行され、前記ユーザーによって前記特定する表示により選択された複数の金属製作リソースについて前記レポートが作成される特徴１１に記載のシステム。
［特徴１５］
前記データはクラウドベースのデータ記憶システムからアクセスされる特徴１１に記載のシステム。
［特徴１６］
前記少なくとも１つのコンピュータープロセッサはクラウドベースのシステムを備える特徴１１に記載のシステム。
［特徴１７］
金属製作リソースのパフォーマンス比較インターフェースであって、
ウェブベースのシステムによって編集及び配信される少なくとも１つのユーザー閲覧可能レポートページであって、ユーザー閲覧デバイスに送信されるコンピューター実行コードによって定義され、該レポートページは、複数の金属製作リソースを特定するユーザー閲覧可能な表示と、関心対象の期間と、該関心対象の期間にわたって金属製作リソースにおいて行われる金属製作動作のパラメーターの少なくとも１つの図形表示とを含み、該図形表示は前記金属製作リソースのパフォーマンスを比較する、金属製作リソースのパフォーマンス比較インターフェース。
［特徴１８］
前記コードは汎用ブラウザーにおける閲覧のためにプロセッサによって実行可能である特徴１７に記載のインターフェース。
［特徴１９］
前記ユーザー閲覧可能レポートページは、複数の金属製作リソースのリストから、複数の金属製作リソースのうちの任意の金属リソースのユーザー選択を受信するように構成される特徴１７に記載のインターフェース。
［特徴２０］
前記複数の金属製作リソースは個別に及び構成可能なグループで表示され、前記解析は、少なくとも１つの個別の金属製作リソース及び少なくとも１つの金属製作リソースグループにおいて選択可能に実行される特徴１９に記載のインターフェース。
【手続補正２】
【補正対象書類名】特許請求の範囲
【補正対象項目名】全文
【補正方法】変更
【補正の内容】
【特許請求の範囲】
【請求項１】
金属製作リソースのパフォーマンス比較方法であって、
少なくとも１つのコンピュータープロセッサを介して、複数の金属製作リソースにおいて実行される金属製作動作のパラメーターを表すデータにアクセスすることと、
ユーザー閲覧デバイスを介して、前記ユーザーに、解析のための前記複数の金属リソースのユーザー選択を可能にするように構成された複数の金属製作リソースのリストを提示することと、
前記少なくとも１つのコンピュータープロセッサを介して、前記ユーザーが選択した複数の金属製作リソースのそれぞれについて前記パラメーターを解析し、前記ユーザーが選択した金属製作リソース間でパフォーマンスを比較することと、
前記少なくとも１つのコンピュータープロセッサを介して、ユーザー閲覧可能レポートページを、前記ユーザーが選択した金属製作リソースの各々の前記解析を表す図形表示を用いて作成することと、
前記少なくとも１つのコンピュータープロセッサを介して、前記ユーザー閲覧可能レポートページを前記ユーザー閲覧デバイスに送信することとを含む金属製作リソースのパフォーマンス比較方法。
【請求項２】
金属製作リソースのパフォーマンス比較システムにおいて、
動作時に、複数の金属製作リソースの金属製作動作のパラメーターを表すデータにアクセスし、ユーザー閲覧デバイスにユーザー閲覧可能レポートページを送信する通信コンポーネントと、
動作時に、前記パラメーターを解析して前記金属製作リソース間のパフォーマンスを比較し、前記ユーザー閲覧可能レポートページに、前記複数の金属製作リソースのそれぞれの前記解析を表す図形表示を用いて作成する、少なくとも１つのコンピュータープロセッサとを具備し、
前記ユーザー閲覧可能レポートページは、複数の金属製作リソースを特定する表示を含み、前記解析が実行され、前記複数の金属製作リソースのうち前記ユーザーによって選択された複数の金属製作リソースについて、前記特定する表示を用いて前記レポートを作成するようにした金属製作リソースのパフォーマンス比較システム。